(57)【特許請求の範囲】
【請求項１】
電路を検知する検知部と、
前記検知部の検知に基づき前記電路のＹ結線、デルタ結線、Ｖ結線のいずれに対しても検相・検電状態を判定する制御部と、
前記制御部の判定結果に応じて異なる発光状態となる発光部と、
前記制御部の動作モードを検相モードと検電モードに切り替えるスイッチ部と、
検相モード表示部と検電モード表示部と、
前記検知部、前記制御部、前記発光部及び前記スイッチ部が電気配線された配線基板と、
電源用電池を有し、
前記発光部を覆う透光カバー部と、前記透光カバー部から前方へ延出し前記検知部を収容する突出部とを先端に備えた片手握持形態をなす合成樹脂製中空筒状本体部を有し、
前記合成樹脂製中空筒状本体部は、前記合成樹脂製中空筒状本体部の長さ方向に沿って前記配線基板が収容支持され、前記配線基板の裏側位置に前記合成樹脂製中空筒状本体部の長さ方向に沿って前記電源用電池が収容され、後面開口に前記電源用電池の後面を弾性押圧する合成樹脂製後キャップ体が着脱自在に取り付けられ、前記スイッチ部に対応し外部操作可能なスイッチ操作部と、前記検相モード表示部と前記検電モード表示部を有し、片手握持状態で前記スイッチ部が操作可能状態となる片手握持形態であり、
前記スイッチ部は、プッシュ操作により電源ＯＮ、電源ＯＦＦ、検相モード、及び検電モードに切り替え可能な単一のプッシュスイッチで構成され、
電源ＯＦＦ状態において前記スイッチ部の所定時間長押しにて電源ＯＮして前記検電モードとなり、
前記検電モードにおいて前記スイッチ部の１プッシュにより前記検相モードに切り替わり、前記検相モードにおいて前記スイッチ部の１プッシュにより検相作業開始可能状態となり、
前記検電モードから前記検相モードに切り替わったままの状態が所定時間継続すれば前記検電モードに切り替わり、更に前記所定時間を超えた所定時間継続にて前記電源ＯＦＦとなり、
電源ＯＮ状態において前記スイッチ部の所定時間長押しにて電源ＯＦＦ状態となり、
前記検相モード表示部と前記検電モード表示部の双方が発光状態によって前記電源ＯＮ状態を表示する、
ことを特徴とするハンディタイプの検相・検電器。
【発明の詳細な説明】
【技術分野】
【０００１】
本発明は、電路の相順を検知し表示する検相機能、及び電路の通電状態を検知し表示する検電機能を有する検相・検電器に関し、特に、片手操作可能なハンディタイプの検相・検電器に関する。
【背景技術】
【０００２】
本発明の従来技術の一つとして、検電器がある（特許文献１）。
この特許文献１のものは、外筐体の先端側へ突出して光伝導部材を設け、光伝導部材の先端部内に検知子を収容し、外筐体内に配置した発光素子の光を光伝導部材にて導き、検知子の周辺部が発光状態となるものである。
検知子の周辺部が発光状態となるために、視認性は向上するが、光伝導部材の必要性と、防水構造にする場合の組み立て構成が複雑化する。
また、検相機能を備えておらず、それに係る表示等は定かでない。
【０００３】
また、本発明の従来技術の一つとして、検相器がある（特許文献２）。
この特許文献２のものは、同相判定結果と相回転検出結果とを外部通知するために、表示ランプによる点灯・点滅表示、スピーカからの音声メッセージを採用している。
しかし、具体的な表示方法は不明であり、表示ランプの配置や、検相器の構成等については不明である。
また、検電機能を備えておらず、それに係る表示等は定かでない。
【先行技術文献】
【特許文献】
【０００４】
【特許文献１】特許第３４６３７５０号公報
【特許文献２】特開２０１０−５４３００号公報
【発明の概要】
【発明が解決しようとする課題】
【０００５】
上記のように、特許文献１及び特許文献２にて、検電器、及び検相器は公知であるが、双方の機能を備え、且つ、検電器及び検相器の双方の機能状態を表示するための発光部の配置や、組み立て構成のし易さや点検のし易さを考慮した構成は開示されていない。
【０００６】
本発明は、作業者が衣服の胸ポケットなどに入れて移動することができる携帯性に優れ、作業者が片手で握持した状態で、検電器及び検相器の双方の機能をスイッチ操作によって使い分けることができるようにし、配線工事時の電路の確認作業の簡便性を図り、また、既存配線の状態確認の簡便性を図ることができるハンディタイプの検相・検電器を提供する。
また、検相・検電器の本体を構成する筒状本体部内への配線基板の収容によって、配線基板の安定保持と、検電及び検相の双方の機能状態を表示する発光部の配置と、配線基板に取り付けたスイッチ部と外部操作するスイッチ操作部との対応配置等が容易に達成できるハンディタイプの検相・検電器を提供する。
更に、組み立て、点検、修理のし易さを考慮したハンディタイプの検相・検電器を提供する。
【０００７】
更に、３相電路がＹ結線、デルタ結線、Ｖ結線のいずれの場合にも、相順判定を容易に行うことができ、小型化、低コスト化を達成したハンディタイプとして好適な検相・検電器を提供する。
【課題を解決するための手段】
【０００８】
第１発明のハンディタイプの検相・検電器は、
電路を検知する検知部と、
前記検知部の検知に基づき前記電路のＹ結線、デルタ結線、Ｖ結線のいずれに対しても検相・検電状態を判定する制御部と、
前記制御部の判定結果に応じて異なる発光状態となる発光部と、
前記制御部の動作モードを検相モードと検電モードに切り替えるスイッチ部と、
検相モード表示部と検電モード表示部と、
前記検知部、前記制御部、前記発光部及び前記スイッチ部が電気配線された配線基板と、
電源用電池を有し、
前記発光部を覆う透光カバー部と、前記透光カバー部から前方へ延出し前記検知部を収容する突出部とを先端に備えた片手握持形態をなす合成樹脂製中空筒状本体部を有し、
前記合成樹脂製中空筒状本体部は、前記合成樹脂製中空筒状本体部の長さ方向に沿って前記配線基板が収容支持され、前記配線基板の裏側位置に前記合成樹脂製中空筒状本体部の長さ方向に沿って前記電源用電池が収容され、後面開口に前記電源用電池の後面を弾性押圧する合成樹脂製後キャップ体が着脱自在に取り付けられ、前記スイッチ部に対応し外部操作可能なスイッチ操作部と、前記検相モード表示部と前記検電モード表示部を有し、片手握持状態で前記スイッチ部が操作可能状態となる片手握持形態であり、
前記スイッチ部は、プッシュ操作により電源ＯＮ、電源ＯＦＦ、検相モード、及び検電モードに切り替え可能な単一のプッシュスイッチで構成され、
電源ＯＦＦ状態において前記スイッチ部の所定時間長押しにて電源ＯＮして前記検電モードとなり、
前記検電モードにおいて前記スイッチ部の１プッシュにより前記検相モードに切り替わり、前記検相モードにおいて前記スイッチ部の１プッシュにより検相作業開始可能状態となり、
前記検電モードから前記検相モードに切り替わったままの状態が所定時間継続すれば前記検電モードに切り替わり、更に前記所定時間を超えた所定時間継続にて前記電源ＯＦＦとなり、
電源ＯＮ状態において前記スイッチ部の所定時間長押しにて電源ＯＦＦ状態となり、
前記検相モード表示部と前記検電モード表示部の双方が発光状態によって前記電源ＯＮ状態を表示する、
ことを特徴とする。
【発明の効果】
【００１５】
請求項１の本発明では、検相・検電器の器体が、透光カバー部と突出部を備えた合成樹脂製の中空筒状本体部と、合成樹脂製の後キャップ体で構成され、本体部には配線基板と電源用電池が収容され、突出部に検知部が収容され、透光カバー部に発光部が収容され、後キャップ体で電源用電池を弾性押圧する。更に、本体部には、検相モードと検電モードの切り替えスイッチ部を操作するスイッチ操作部と、検相・検電のモード表示部を設ける。
【００１６】
このため、検知部、発光部、検相モードと検電モードの切り替えスイッチ部、及び制御部を組み付けた配線基板とすることができるため、主要回路部がコンパクト化されて筒状本体部内に組み込まれることとなり、筒状本体部内への配線基板の収容がし易く、検知部及び発光部を所定位置へ収容できる組み立てが容易となる。
また、筒状本体部内には、左右支持部に配線基板が筒状本体部の長さ方向に沿って収容支持されるため、筒状本体部内における配線基板の位置が定まり、スイッチ操作部に対する所定位置にスイッチ部を配置でき、安定したスイッチ操作が達成できる。
更に、配線基板の裏側位置に筒状本体部の長さ方向に沿って電源用電池を収容する電池収容部が確保でき、配線基板と電源用電池を所定長さの筒状本体部内にコンパクトに収容できる構成となり、ハンディタイプの検相・検電器として好適な構成となる。
【００１７】
また、透光カバー部から前方へ延出する突出部に検知部を収容するため、配線が混み合う狭い箇所においても、隣り合う配線に触れることなく正確な検知ができると共に、検知部を収容する突出部によって、検電・検相の作業中における検知部の保護が達成できる。
また、本体部の前後が透光カバー部と突出部、及び後キャップ体で塞げば、電気絶縁性の防水構造のハンディタイプの検相・検電器となる。
また、後キャップ体が本体部に着脱自在に結合すれば、本体部からの後キャップ体の取り外しによって、電池交換がし易く、且つ基板の挿入及び引き出しが可能となり、組み立て及び配線基板の点検も容易となる。
また、制御部は、検相モード状態において、３相電路の一つの電路検知から次の電路検知までの検相操作間隔の基準値として所定時間を設定し、検相操作間隔が、前記所定時間未満または前記所定時間以内の場合は正規の相順判定を行い、前記所定時間以上または前記所定時間を超えたとき前記発光部が所定のエラー発光状態となる。このため、制御部に含まれるクロック信号発生部のクロックパルスの精度向上のための対策等が不要となり、低価格で且つ小型化に適し、軽量なハンディタイプの検相・検電器を提供できることとなる。
【００１９】
第１発明のハンディタイプの検相・検電器では、スイッチ部は、プッシュ操作によって電源ＯＮ状態、検相モード状態、及び検電モード状態に切り替わる単一のプッシュスイッチで構成され、モード表示部は、検電モード表示部と検相モード表示部を有し、電源ＯＮ状態で検電モードとなる。
このように、スイッチ部は、プッシュ操作によって、電源ＯＮ状態、検相モード状態、及び検電モード状態に切り替わる単一のプッシュスイッチ構成であるため、これらの切り替え操作を片手親指で操作し易いものとなる。また、電源ＯＮ状態で、検相モード表示部と検電モード表示部の双方が発光状態とすれば、電源スイッチを特別に設けなくても、検相モードと検電モードの双方が動作可能であることを視認させることができる。
【００２１】
また、第１発明のハンディタイプの検相・検電器では、検電モードから検相モードに切り替わったままの状態が所定時間継続すれば、制御部は、自動的に検電モードに切り替わる。
検相モードは、電圧検知ができない状態である。この状態では作業者は、電路に電圧が印加された活線であるか否かを判断できないため、活線に人体が触れると危険である。
本発明では、検電モードから検相モードに切り替わり、その状態で検相作業に入らずに放置したままの状態が所定時間（例えば、６秒のような数秒間）継続すれば、制御部のタイマ機能により、自動的に検電モードに切り替わり、活線に対して電圧検知ができるため、活線であることが判明され、この危険を回避でき安全性を確保できることとなる。
【図面の簡単な説明】
【００２４】
【図１】本発明に係る検相・検電器の正面図である。
【図２】本発明に係る検相・検電器の内部構成を説明するための断面正面図である。
【図３】本発明に係る検相・検電器の内部構成を説明するための断面背面図である。
【図４】本発明に係る検相・検電器の内部構成を説明するための断面側面図である。
【図５】本発明に係る検相・検電器の内部構成を説明するための縦断面図である。
【図６】本発明に係る検相・検電器の外観斜視図である。
【図７】本発明の他の実施形態に係る検相・検電器の内部構成を説明するための断面側面図である。
【図８】電路の結線図であり、（イ）はＹ結線図、（ロ）はデルタ結線図、（ハ）はＶ結線図である。
【図９】本発明に係る検相・検電器の制御に係るブロック図である。
【発明を実施するための形態】
【００２５】
本発明は、検電器及び検相器の双方の機能がスイッチ操作によって使い分けることができるようにして、配線工事時の確認作業の簡便性を図り、また既存配線の状態確認の簡便性を図ることができるハンディタイプの検相・検電器を提供するものである。
【００２６】
本発明に係るハンディタイプの検相・検電器１は、
電路を電気的非接触にて検知する検知部２と、
検知部２の検知に基づき電路のＹ結線、デルタ結線、Ｖ結線のいずれに対しても検相・検電状態を判定する制御部３と、
制御部３の判定結果に応じて異なる発光状態となる発光部４と、
制御部３の動作モードを検相モードと検電モードに切り替えるスイッチ部６と、
検知部２、制御部３、発光部４及びスイッチ部６が電気配線された配線基板７と、
電源用電池８を有し、
発光部４を覆う透光カバー部１５Ａと、透光カバー部１５Ａから前方へ延出し検知部２を収容する突出部１５Ｂとを先端に備えた片手握持形態をなす合成樹脂製中空筒状本体部５を有し、
筒状本体部５は、筒状本体部５の長さ方向に沿って配線基板７が収容支持され、配線基板７の裏側位置に筒状本体部５の長さ方向に沿って電源用電池８が収容され、後面開口に電源用電池８の後面を弾性押圧する合成樹脂製後キャップ体１７が着脱自在に取り付けられ、スイッチ部６に対応し外部操作可能なスイッチ操作部１０と、検相・検電のモード表示部１１を有し、
制御部３は、検相モード状態において、３相電路の一つの電路検知から次の電路検知までの検相操作間隔の基準値として所定時間を設定し、前記検相操作間隔が、前記所定時間未満または所定時間以内の場合は正規の相順判定を行い、前記所定時間以上または前記所定時間を超えたとき前記発光部が所定のエラー発光状態となる構成である。
【００２７】
［第１実施形態］
この検相・検電器１を更に具体化した第１実施形態を図１乃至図６に基づいて説明する。
電路を電気的非接触にて検知する検知部２と、検知部２の検知に基づき前記電路の検相・検電状態を判定する制御部３と、制御部３の判定結果に応じて異なる発光状態となる発光部４と、前後に開口し片手握持形態をなし検相・検電器１の本体を構成する合成樹脂製中空筒状本体部５と、制御部３の動作モードを検相モードと検電モードに切り替えるスイッチ部６と、検知部２、制御部３、発光部４及びスイッチ部６等が電気配線された配線基板７と、電源用電池８を有する。
筒状本体部５の内部に形成した左右支持部９に、配線基板７が筒状本体部５の長さ方向に沿って収容支持され、電源用電池８が配線基板７の裏側位置に筒状本体部５の長さ方向に沿って収容される。
筒状本体部５には、スイッチ部６を外部操作可能なスイッチ操作部１０と、スイッチ操作部１０の前側に外部から視認可能なモード表示部１１を設け、配線基板７の前部には、本体部５の前面開口５Ａから前方に突出する位置に発光部４が配置され、配線基板７の前端部から発光部４より更に前方へ突出するリード部１４の先端部に検知部２を有する。モード表示部１１は、検電モード表示部１２と検相モード表示部１３を有する。
発光部４を覆う透光カバー部１５Ａと、透光カバー部１５Ａから前方へ延出し検知部２を収容する突出部１５Ｂとが一体形成された合成樹脂製光拡散性先端カバー部１５が、本体部５の前面開口５Ａを塞ぐように取り付けられ、電源用電池８の後面をコイルばね１６にて弾性押圧する合成樹脂製後キャップ体１７が、本体部５の後面開口５Ｂを塞ぐように取り付けられた構成である。
【００２８】
制御部３は、マイクロプロセッサやメモリを含む演算処理部３Ａ及びクロック信号発生部３Ｂ等を有し、電路に対する検相・検電操作において、検知部２の検知に基づき、検相・検電の判定を基準値との比較によって行う。
片手握持形態の中空の筒状本体部５は、前後に開口５Ａと５Ｂを有し、筒状本体部５の内面には、左右同等位置に支持部９、９が一体形成され、この支持部９、９に前後方向に長尺のプリント配線基板７の左右縁部が支持される。プリント配線基板７の左右幅は、後部領域７Ａに比して前部領域７Ｂが狭くなる寸法でもって、前後に長い長尺の板状形態である。左右支持部９、９は相互に対面する溝９Ａを有し、この溝９Ａは後端が開口し前端が塞がる形状でもって、この前端の塞がる部分がストッパ９Ｓとなる。
【００２９】
これによって、制御部３等を取り付けたプリント配線基板７は、その左右縁部を左右支持部９、９の左右溝９Ａに対応する関係でもって筒状本体部５の後端開口５Ｂから挿入し、プリント配線基板７の左右幅が前部領域７Ｂよりも広くなった後部領域７Ａの左右縁部を左右支持部９、９の左右溝９Ａに挿入する。この挿入は、後部領域７Ａの左右縁部の前端部が、左右支持部９、９の左右溝９Ａの前端部であるストッパ９Ｓに衝突する位置まで行う。これによって、プリント配線基板７は全体が筒状本体部５内に収容され、筒状本体部５内の略上半分より上方位置の所定位置に、がたつきを制限した状態で保持される。この状態で、プリント配線基板７の前端部は、筒状本体部５の前面開口５Ａから前方へ突出した状態であり、発光部４は、筒状本体部５の前面開口５Ａから前方へ突出した露出状態となる。
【００３０】
プリント配線基板７の前部には発光部４が配置され、配線基板７の前端部から発光部４より更に前方へ突出して検知部２が配置される。発光部４は、異なる色で発光する単一の発光素子で構成されるものでもよく、また、それぞれ異なる発光色の発光素子の複数で構成されるものでもよい。以下に記載する実施形態は後者の形態に係るものであり、発光部４は、図示のように、第１発光素子の赤色の発光ダイオード（ＬＥＤという）４Ａと、第２発光素子の緑色の発光ダイオード（ＬＥＤという）４Ｂが左右配置される構成である。
【００３１】
また、検知部２の構成として、配線基板７の前端部から発光部４より更に前方へ棒状または板状に突出する銅製のリード部１４を設け、第１の構成は、このリード部１４全体を検知部２とする。また、第２の構成は、リード部１４の先端部以外の部分に電気的シールドを施した状態で突出部１５Ｂ内に収容し、先端部のみを検知部２とする。この第２の構成によって、接地相を検知する際に、検知部２が他相の誘導電圧の影響を受けることにより生じる誤検知を防止することができる。
検知部２は、配線基板７の前端部から前方へ棒状または板状に突出するリード部１４の全体を検知部２とするか、リード部１４の先端部を検知部２とするかのいずれであっても、突出部１５Ｂは、検知部２を収容するよう透光カバー部１５Ａから前方へ棒状または板状に延出する形態である。
また、検知部２は、制御部３との関係において、リード部１４の先端部に取り付けた検知素子とする形態でもよい。この場合も、突出部１５Ｂは、検知部２を収容するよう透光カバー部１５Ａから前方へ棒状または板状に延出する形態である。
以下、検知部２が、上記第２の構成において説明する。
【００３２】
発光部４を構成する第１発光素子４Ａと第２発光素子４Ｂを覆う透光カバー部１５Ａと、透光カバー部１５Ａから前方へ延出しリード部１４とその先端の検知部２を収容する突出部１５Ｂとが一体形成された合成樹脂製光拡散性先端カバー部１５が、本体部５の前面開口５Ａを塞ぐように取り付けられる。先端カバー部１５は乳白色等の透光部材であり、内面が細かい凹凸形状の粗面をなし、第１発光素子４Ａと第２発光素子４Ｂの発光が拡散し、先端カバー部１５の外部において、第１発光素子４Ａと第２発光素子４Ｂの発光が、透光カバー部１５Ａの広範囲を照らす状態に見える。
【００３３】
先端カバー部１５は、第１発光素子４Ａ、第２発光素子４Ｂ、リード部１４、及び検知部２を安定して保護するために、本体部５の前面開口５Ａ周縁に接着状態で本体部５に取り付けている。この状態で、プリント配線基板７の交換や、プリント配線基板７に取り付けた制御部３等の各部品の点検等の場合には、プリント配線基板７は、その後端部をペンチなどの工具によって掴み、本体部５から引き出すことができる。
【００３４】
なお、先端カバー部１５が、筒状本体部５の前面開口５Ａの周縁とネジ結合によって着脱自在な構成とすることにより、第１発光素子４Ａ、第２発光素子４Ｂ、リード部１４、及び検知部２等の点検修理を行い易くなる。即ち、プリント配線基板７が本体部５内に収容された状態で、先端カバー部１５を取り外せば、第１発光素子４Ａ、第２発光素子４Ｂ、リード部１４、及び検知部２が、本体部５の前方へ露出するため、これらの点検修理を行うことに適する。
【００３５】
上記のように、プリント配線基板７が筒状本体部５内に収容された状態で、プリント配線基板７の裏側の空間に、筒状本体部５の後端開口５Ｂから電源用電池８が２本直列状態に収容される。筒状本体部５内の電源用電池８の収容部には、筒状本体部５の長さ方向である長軸に交差する短軸方向（左右方向）に、相対する制限突状部１８が筒状本体部５に形成される。これによって、電源用電池８は、左右方向の移動が制限突状部１８で制限され、上下方向がプリント配線基板７と筒状本体部５の内面で移動が制限されることにより、電池のがたつきを制限する。
【００３６】
筒状本体部５の後面開口５Ｂの周縁部には、ネジ結合にて後キャップ体１７が着脱自在に取り付けられる。筒状本体部５に後キャップ体１７を取り付けることによって、後キャップ体１７の内側に設けたコイルばね１６が、電源用電池８のマイナス端子である後面を弾性押圧する。この弾性押圧によって、電源用電池８のプラス端子である前面が、プリント配線基板７の前部領域７Ｂから裏側へ垂下するプラス端子板２０に押圧される。これによって、電源用電池８の電力は、プラス側がプラス端子板２０からプリント配線基板７の制御部３等の電気部品へ供給され、マイナス側がコイルばね１６を通してプリント配線基板７の制御部３等の電気部品へ供給される。プリント配線基板７の前部領域７Ｂの裏側には、プラス端子板２０と発光部４との間に発音部としてブザー１９が取り付けられている。
【００３７】
筒状本体部５には、スイッチ部６に対応して外部操作可能なスイッチ操作部１０と、スイッチ操作部１０の前側に、外部から視認可能なモード表示部１１として検電モード表示部１２と検相モード表示部１３を設けている。外部から視認可能な検電モード表示部１２と検相モード表示部１３は、スイッチ操作部１０に隣接した前側に配置される。筒状本体部５には、スイッチ操作部１０の後方に向けて直線状に、検相モードにおける発光部４である第１発光素子４Ａと第２発光素子４Ｂの発光状態の説明部２３を、外部から視認可能に筒状本体部５の長さ方向に設ける。この説明部２３は、順（正）相の状態図２３Ａ、逆相の状態図２３Ｂ、同相の状態図２３Ｃ、エラーの状態図２３Ｄで構成しており、これらは、それぞれの発光状態を絵図と文字で表示している。説明部２３の絵図と文字は、筒状本体部５に印刷等にて形成している。このようなモード表示部１１、スイッチ操作部１０、及び説明部２３は、筒状本体部５の長さ方向軸に沿って、筒状本体部５の上面に直線状の配置である。
【００３８】
また、作業者が、検相モードにおける発光部４の発光状態と、発光形態の説明部２３との一致を確認すれば、検相結果が順（正）相、逆相、同相、エラーのいずれであるかの確認が容易となる。それゆえ、熟練者でなくても、容易に検相作業を行えることとなる。
【００３９】
検電モード表示部１２は、透光材で形成した雷光状の検電モードマーク１２Ａと、その裏側に配置する一色発光ダイオード（ＬＥＤという）で構成する検電モード用発光素子１２Ｂとで構成する。また、検相モード表示部１３は、透光材で形成した相回転矢印と三相Ｙ結線状の組み合わせで示す検相モードマーク１３Ａと、その裏側に配置する二色発光ダイオード（ＬＥＤという）で構成する検相モード用発光素子１３Ｂとで構成する。
【００４０】
プリント配線基板７には、検電モード用発光素子１２Ｂと検相モード用発光素子１３Ｂが取り付けられている。プリント配線基板７が筒状本体部５内の所定位置へ収容された状態で、検電モード用発光素子１２Ｂが検電モードマーク１２Ａの裏側の光導部に対向し、且つ、検相モード用発光素子１３Ｂが検相モードマーク１３Ａの裏側の光導部に対向する。
【００４１】
上記のように、筒状本体部５の後面開口５Ｂからプリント配線基板７を筒状本体部５内に挿入し、左右支持部９、９に支持した状態で、先端カバー部１５の突出部１５Ｂ内にリード部１４と検知部２が収容され、透光カバー部１５Ａ内に第１発光素子４Ａと第２発光素子４Ｂが収容される。この状態で、筒状本体部５の後面開口５Ｂから電源用電池８をプリント配線基板７の裏側空間へ挿入し、筒状本体部５の後面開口５Ｂを後キャップ体１７で塞ぐ。これによって、電源用電池８の電力がプリント配線基板７に取り付けた制御部３等へ供給状態となり、検相・検電器１は動作可能状態となる。実施形態では、電源用電池８は、直径が略１０ｍｍの２本の単４形電池が、筒状本体部の長さ方向に直列接続状態に収容される。電源用電池８は、再充電可能な２次電池または再充電できない１次電池のいずれでもよい。
【００４２】
検相・検電器１は、筒状本体部５を片手で握持した状態で、スイッチ操作部１０の操作が可能となる形態である。このため、筒状本体部５は、片手握持が容易な直径及び長さの筒状をなす。第１実施形態において、検相・検電器１の通常の操作状態では、検知部２が前方に向き、スイッチ操作部１０と説明図２３が上側に位置する態勢となるように、作業者が筒状本体部５を片手で握持し、握持する手の親指でスイッチ操作部１０を操作する。検知部２は、電気的絶縁性のある合成樹脂製の先端カバー部１５の突出部１５Ｂ内に収容されているため、検相または検電対象となる電路に直接接触せず、電気的に非接触状態にて電路の通電状態を検知することとなり、作業者の安全性が確保される。
【００４３】
作業者が筒状本体部５を片手で握持し易い形態とするために、筒状本体部５の基本形状は、直径が略１７ｍｍの円筒状をなす。そして、筒状本体部５の上下面には、筒状本体部５の上面に配置したスイッチ操作部１０、モード表示部１１及び説明部２３と、これに対向する底面部分は、前記直径よりも若干大径の直径２０ｍｍに形成し、説明部２３の前側にスイッチ操作部１０とモード表示部１１を弧状に窪ませて形成する。これによって、スイッチ操作部１０の操作の容易さと、モード表示部１１の視認のし易い効果が得られる。更に、筒状本体部５の上下面が膨出していることによって、筒状本体部５を片手で握持した状態が安定し、スイッチ操作がし易く、検相・検電作業がし易い効果が得られる。
【００４４】
なお、上記筒状本体部５の断面形状は、円筒形状であるが、略楕円形状または略長円形状でもよい。即ち、スイッチ操作部１０と説明部２３が上側に位置する状態において、筒状本体部５の上下方向の直径に対して左右方向の直径を小さく形成した形態とすることにより、所謂、筒状本体部５の断面形状が、略楕円形状または略長円形状を呈する形態でもよい。
【００４５】
検相・検電器１は、これを使用する作業者の持ち運びの便利さのために、筒状本体部５の左右側面のいずれかに、筒状本体部５の後端部の外部に結合する支持部２２を介して、弾性復帰可能なフック２１を取り付けている。このため、作業者が衣服のポケットに検相・検電器１を収容した状態で、そのポケットの開口縁にフック２１を掛けることにより、筒状本体部５とフック２１との間にポケットの開口縁を挟むため、検相・検電器１をポケット内に保持できる。
【００４６】
検相・検電器１は、検相操作または検電操作を行う際に、作業者が感電しないように電気絶縁性を有する構成である。このため、モード表示部１１及び説明部２３を含めた筒状本体部５、先端カバー部１５、及び後キャップ体１７が電気絶縁性を有する合成樹脂製で形成される。
【００４７】
次に、検相操作及び検電操作における表示について記載する。
上記のように、筒状本体部５内にプリント配線基板７と電源用電池８が収容されて検相・検電器１が動作可能状態となる。この状態は電源ＯＦＦであり、第１発光素子４Ａ、第２発光素子４Ｂ、検電モード用発光素子１２Ｂ、及び検相モード用発光素子１３Ｂは、消灯（非発光）状態である。
【００４８】
この状態で、検相・検電を開始する場合は、スイッチ操作部１０を所定時間（例えば、３秒のような数秒間）押し続けると、電源ＯＮになり、ブザー１９が一時的に発音すると共に、モード表示部１１の検電モード用発光素子１２Ｂと検相モード用発光素子１３Ｂの双方が一時的に点灯（発光）し、その直後に検電モード用発光素子１２Ｂが橙色点滅状態となり、検電モードになったことを報知する。
【００４９】
この検電モードにおいて、検電作業を行う場合は、被検電路へ検知部２を収容する突出部１５Ｂを近接または接触させることにより、その被検電路が活電状態か非活電状態かを検電できる。
この検電操作によって、被検電路が所定の電圧が印加されている活電路（電圧印加状態）であれば、発光部４の第１発光素子４Ａが赤色発光の点滅状態になると共に、ブザー１９が発音する。
また、この検電操作によって、被検電路が所定の電圧が印加されていない死線（断線、欠相、接地線等）であれば、発光部４の第１発光素子４Ａと第２発光素子４Ｂの双方は点灯せず、ブザー１９も発音しない。
このようにして、被検電路が活電状態（電圧印加状態）か、断線等の非活電状態かの検電ができる。
【００５０】
検電モードにおいて、スイッチ操作部１０を１回押すことにより、モードが検相モードに切り替わり、検相モード用発光素子１３Ｂが赤色点滅状態となり、検相モードであることを報知する。
この検相モードにおいて、検相作業を行う場合は、スイッチ操作部１０を１回押すことにより、検相モード用発光素子１３Ｂの点滅が止み、緑色連続点灯状態になり、検相スタンバイ、即ち、検相作業開始可能状態になったことを報知する。
【００５１】
この状態において、検相作業を開始する。例えば、図８の（イ）〜（ハ）に示すように、３相電路がＹ結線、デルタ結線、Ｖ結線の場合の検相作業は、３相電路Ｒ、Ｓ、Ｔの相のひとつひとつに検知部２を収容する突出部１５Ｂを近接または接触させて検相を行う。この場合、検相操作間隔（検相作業時間ともいう）を極めて短く制限した方式を採用している。即ち、一つの電路に検知部２を収容する突出部１５Ｂを近接または接触させて検相を行った時から所定時間（例えば、３秒のような数秒間）と定めた検相操作間隔内に次の電路の検相を行わなければ、制御部３のタイマ機能によりエラーとなる構成である。このエラーによって、第１発光素子である赤色の発光ダイオード（ＬＥＤという）４Ａと第２発光素子である緑色の発光ダイオード（ＬＥＤという）４Ｂは交互点灯状態となり、エラーを報知する。
【００５２】
上記のように検相操作間隔（検相作業時間ともいう）を所定時間に制限した理由は、以下の理由による。
即ち、クロック信号発生部３Ｂを安定した周期のクロックパルスを発生する、所謂周期変動が無い精度の高いクロックパルスを発生する基準クロックパルス発生器とすれば、大幅なコストアップとなり、低価格のハンディタイプの検相・検電器には適さないものとなる。
また、そのような高動作能力の基準クロックパルス発生器ではない低コストのクロック信号発生部３Ｂの場合は、発生するクロックパルスの精度が低下する。特にクロックパルスの発生時間が長くなるほど検相判定精度が低下し、誤差が大きくなる。このため、その補正回路が必要であり、または、標準時刻信号を電波によって受信して、このクロックパルスの誤差を補正する回路構成とする等の補正対策が必要となる。しかし、このような補正対策を講じればコストアップとなり、小型化に適さないものとなる。
【００５３】
本発明は、このような補正対策を講じる必要がなく、また精度の高いクロックパルスを発生する基準クロックパルス発生器を採用することなく、低コストのクロック信号発生部３Ｂを採用し、低価格で且つ小型化に適し、軽量なハンディタイプの検相・検電器１を提供できるようにするものである。
このような低コストのクロック信号発生部３Ｂの場合は、クロックパルスの発生時間が長くなるほど検相判定精度が低下するが、短い時間であればその誤差が許容できるため、本発明は、短時間のうちに検相作業を行うという制限を課すことにより、許容できる判定結果が得られるようにするものである。
【００５４】
本発明では、低コストのクロック信号発生部３Ｂを採用し、且つ、作業者による検相作業時間を制限した短時間以内とするために、検相モード状態において、３相電路の一つの電路の検知を行ってから次の電路の検知を行うまでの時間を検相操作間隔とし、制御部３は、この検相操作間隔の基準値として所定時間を設定し、前記検相操作間隔が、前記所定時間未満または所定時間以内の場合は正規の相順判定を行い、前記所定時間以上または前記所定時間を超えたとき発光部４が所定のエラー発光状態となる構成である。
この判定基準となる所定時間は短い程、制御部３による判定精度が高くなるが、作業者が的確に検相作業を行うことができる時間の確保と、クロックパルスによる精度誤差を許容できる時間等を考慮して決定することとなる。
その一つとして、前記所定時間を１０秒以下の数秒程度に設定することとし、その中でも前記所定時間を２〜３秒のように極力短く設定した検相・検電器をテストしたところ、良好な結果を得ることができた。
なお、誤差の比較的少ないクロックパルスを発生する低コストのクロック信号発生部３Ｂが今後開発され、且つ、作業者による検相作業を制限した短時間で終わらせるようにすることを考慮すれば、前記所定時間を６０秒以内と定める場合でも、本発明の所期の目的を達成することができる。
【００５５】
実施例では、前記所定時間を極力短く設定する一つの形態として、前記所定時間を３秒に設定しており、検相操作間隔が３秒未満または３秒以内の場合は、正規の検相操作が行われたものと判定し、一方、検相操作間隔が３秒以上または３秒を超えたときエラーと判定し、発光部４が所定のエラー発光状態となる。これによって、クロック信号発生部３Ｂが発生するクロックパルスの精度誤差を考慮しなくても、制御部３が行う判定は、正規の判定が達成できたものとすることができる。
このため、前記所定時間未満または以内の間隔で３相電路の各電路の検相作業を順次行い、合計３回の検知操作を行うことにより、この検相作業に従って制御部３は、３相電路の相順（位相のずれの順番）を判定する。
【００５６】
実施例では、３相電路の検相において、３相電路の一つの電路の検知が行われたとき、ブザー１９がピー、ピーと所定回数（実施例では４回）発音したとき正規の検知が行われたこととなり、その直後に次の電路の検知を行う。もし、このブザー１９の発音が４回ではなく、例えば２回の直後に次の電路の検知を行えばエラーとなり、発光部４がエラーの報知状態となる。このエラー発光状態は、第１発光素子である赤色の発光ダイオード（ＬＥＤという）４Ａと第２発光素子である緑色の発光ダイオード（ＬＥＤという）４Ｂは交互点灯状態となり、報知される。
実施例では、一つの電路の検知を行い、ブザー１９がピー、ピーと所定回数（実施例では４回）発音してから、次の電路の検知を行うまでの時間である検相操作間隔が、制御部３に基準値と定めた所定時間（実施例の３秒）未満または以内の場合は、制御部３はクロック信号発生部３Ｂが発生するクロックパルスを基準とするタイマ機能により正規の検知操作が行われたものと判定する。一方、検相操作間隔が、所定時間（実施例の３秒）以上または超えたときは、制御部３のタイマ機能によりエラーと判定し、発光部４が所定のエラー発光状態となる。即ち、第１発光素子である赤色の発光ダイオード（ＬＥＤという）４Ａと第２発光素子である緑色の発光ダイオード（ＬＥＤという）４Ｂは交互点灯状態となり、エラーが報知される。
【００５７】
上記のように、３相電路の検相において、上記所定時間（例えば、３秒のような数秒間）未満または前記所定時間以内の検相操作間隔によって電路の検相が順次行われた場合において、断線、欠線、接地線等の死線を所定回数検出したときは、制御部３の判定によって、発光部４が所定のエラー発光状態となる。このエラー発光状態は、第１発光素子である赤色の発光ダイオード（ＬＥＤという）４Ａと第２発光素子である緑色の発光ダイオード（ＬＥＤという）４Ｂは交互点灯状態となり、報知される。
実施例では、上記所定回数を２回と定めている。このため、上記所定時間と定めた３秒未満または３秒以内の検相操作間隔によって電路の検相が順次行われた場合において、断線、欠線、接地線等の死線の検出が２回あれば、発光部４が上記のように、第１発光素子である赤色の発光ダイオード（ＬＥＤという）４Ａと第２発光素子である緑色の発光ダイオード（ＬＥＤという）４Ｂは交互点灯状態となり、エラーが報知される。
【００５８】
本発明の検相・検電器１による検相は、電路がＹ結線、デルタ結線（三角結線）、Ｖ結線のいずれに対しても有効に作用するものであり、以下、この検相・検電器１による検相の具体例を記載する。
【００５９】
先ず、図８（イ）に示すＹ結線の場合の検相の判定は、次のように行われる。
即ち、
交流の３相電路のＲ相、Ｓ相、Ｔ相の各相の対地電圧は、それぞれ１２０度の位相差である。この３相電路の検相は、検知部２によって順次各相を１回ずつ検知し、計３回の検知操作によって、順相（正相）か、逆相か、同相かの判定を制御部３が行う。このため、進み角判定を行う方式では、例えば、Ｒ相、Ｓ相、Ｔ相を検知部２によって順次検知したときの制御部３の判定結果が、Ｒ相がＳ相より１２０度の進み角を有し、Ｓ相がＴ相より１２０度の進み角を有し、Ｔ相がＲ相より１２０度の進み角を有する場合、制御部３はこれらの相が順相（正相）であると判定し、発光部４は第２発光素子である緑色の発光ダイオード（ＬＥＤという）４Ｂが点灯し、順相（正相）であることを報知する。
もし、制御部３の判定結果が、Ｒ相がＳ相より２４０度の進み角を有し、Ｓ相がＴ相より２４０度の進み角を有し、Ｔ相がＲ相より２４０度の進み角を有する場合、制御部３はこれらの相が逆相であると判定し、発光部４は第１発光素子である赤色の発光ダイオード（ＬＥＤという）４Ａが点灯し、逆相であることを報知する。
【００６０】
また、遅れ角判定を行う方式では、上記のようにＲ相、Ｓ相、Ｔ相を検知部２によって順次検知したときの制御部３の判定結果が、Ｒ相がＳ相より２４０度の遅れ角を有し、Ｓ相がＴ相より２４０度の遅れ角を有し、Ｔ相がＲ相より２４０度の遅れ角を有する場合、制御部３はこれらの相が順相（正相）であると判定し、発光部４は第２発光素子である緑色の発光ダイオード（ＬＥＤという）４Ｂが点灯する。
もし、制御部３の判定結果が、Ｒ相がＳ相より１２０度の遅れ角を有し、Ｓ相がＴ相より１２０度の遅れ角を有し、Ｔ相がＲ相より１２０度の遅れ角を有する場合、制御部３はこれらの相が逆相であると判定し、発光部４は第１発光素子である赤色の発光ダイオード（ＬＥＤという）４Ａが点灯し、逆相であることを報知する。
【００６１】
なお、検知部２による検相操作において、Ｒ相、Ｓ相、Ｔ相の内、いずれか同じ相を３回検知すれば、同じ相の検知であるため位相差が０度であり、制御部３は同相であると判定し、発光部４は第１発光素子である赤色の発光ダイオード（ＬＥＤという）４Ａが点滅し、同相であることを報知する。
【００６２】
本発明の検相・検電器１は、図８（ロ）に示すデルタ結線（三角結線）及び図８（ハ）に示すＶ結線の検相判定を行うことができる点でも特徴を有する。
【００６３】
以下、図８（ロ）に示すデルタ結線（三角結線）の検相について記載する。
この場合の検相操作もＹ結線のときと同様に、各相を１回ずつ検知する合計３回の検知によって相順を判定し、それを発光部４によって報知する。
デルタ結線（三角結線）の場合、その一つがアースＥとして接地される。図示の場合、Ｓ相が接地された状態である。このため、Ｒ相、Ｔ相では電圧波形が検知できるが、Ｓ相では電圧ゼロであり、電圧波形は検知できない。
【００６４】
しかし、相順判定は、Ｒ相、Ｓ相、Ｔ相の３か所を検知部２によって順次検知したときの制御部３の判定結果によって行う。
具体的には、進み角判定を行う方式では、例えば、Ｒ相、Ｓ相、Ｔ相を検知部２によって順次検知したときの制御部３の判定結果が、Ｓ相が接地相（電圧ゼロ）であり、Ｔ相がＲ相より６０度の進み角を有する場合、制御部３はこれらの相が順相（正相）であると判定し、発光部４は第２発光素子である緑色の発光ダイオード（ＬＥＤという）４Ｂが点灯し、順相（正相）であることを報知する。
もし、制御部３の判定結果が、Ｓ相が接地相（電圧ゼロ）であり、Ｔ相がＲ相より３００度の進み角を有する場合、制御部３はこれらの相が逆相であると判定し、発光部４は第１発光素子である赤色の発光ダイオード（ＬＥＤという）４Ａが点灯し、逆相であることを報知する。
【００６５】
また、遅れ角判定を行う方式では、上記のようにＲ相、Ｓ相、Ｔ相を検知部２によって順次検知したときの制御部３の判定結果が、Ｓ相が接地相（電圧ゼロ）であり、Ｔ相がＲ相より３００度の遅れ角を有する場合、制御部３はこれらの相が順相（正相）であると判定し、発光部４は第２発光素子である緑色の発光ダイオード（ＬＥＤという）４Ｂが点灯する。
もし、制御部３の判定結果が、Ｓ相が接地相（電圧ゼロ）であり、Ｔ相がＲ相より６０度の遅れ角を有する場合、制御部３はこれらの相が逆相であると判定し、発光部４は第１発光素子である赤色の発光ダイオード（ＬＥＤという）４Ａが点灯し、逆相であることを報知する。
【００６６】
なお、検知部２による検相操作において、Ｒ相、Ｔ相の内、いずれか同じ相を３回検知すれば、同じ相の検知であるため位相差が０度であり、制御部３は同相であると判定し、発光部４は第１発光素子である赤色の発光ダイオード（ＬＥＤという）４Ａが点滅し、同相であることを報知する。なお、Ｓ相については、上記のように、Ｓ相は死線であるため、２回検知した時点でエラーとなる。
【００６７】
次に、図８（ハ）に示すＶ結線の検相について記載する。
この場合の検相操作も上記同様に、各相を１回ずつ検知する合計３回の検知によって相順を判定し、それを発光部４によって報知する。
Ｖ結線の場合、１８０度の位相差を有する。１８０度の位相差がある電圧波形では、制御部３は二つの相の間に相回転関係を決定することができない。このため、図８（ハ）のように、アースＥに対してＲ相とＳ相は１８０度の位相差を有するため、制御部３は、１８０度の位相差がある二つの相に対する９０度差のある相との関係により、位相回転を決定する。
【００６８】
具体的には、進み角判定を行う方式では、例えば、Ｒ相、Ｓ相、Ｔ相を検知部２によって順次検知したときの制御部３の判定結果が、Ｒ相とＳ相が１８０度の位相差を有し、Ｓ相がＴ相より９０度の進み角を有し、Ｔ相がＲ相より９０度の進み角を有する場合、制御部３はこれらの相が順相（正相）であると判定し、発光部４は第２発光素子である緑色の発光ダイオード（ＬＥＤという）４Ｂが点灯し、順相（正相）であることを報知する。
もし、制御部３の判定結果が、Ｒ相とＳ相が１８０度の位相差を有し、Ｓ相がＴ相より２７０度の進み角を有し、Ｔ相がＲ相より２７０度の進み角を有する場合、制御部３はこれらの相が逆相であると判定し、発光部４は第１発光素子である赤色の発光ダイオード（ＬＥＤという）４Ａが点灯し、逆相であることを報知する。
【００６９】
また、遅れ角判定を行う方式では、上記のようにＲ相、Ｓ相、Ｔ相を検知部２によって順次検知したときの制御部３の判定結果が、Ｒ相とＳ相が１８０度の位相差を有し、Ｓ相がＴ相より２７０度の遅れ角を有し、Ｔ相がＲ相より２７０度の遅れ角を有する場合、制御部３はこれらの相が順相（正相）であると判定し、発光部４は第２発光素子である緑色の発光ダイオード（ＬＥＤという）４Ｂが点灯する。
もし、制御部３の判定結果が、Ｒ相とＳ相が１８０度の位相差を有し、Ｓ相がＴ相より９０度の遅れ角を有し、Ｔ相がＲ相より９０度の遅れ角を有する場合、制御部３はこれらの相が逆相であると判定し、発光部４は第１発光素子である赤色の発光ダイオード（ＬＥＤという）４Ａが点灯し、逆相であることを報知する。
【００７０】
このような検知操作によって、１８０度の位相差が２回現れた場合は、制御部３はエラーと判定し、発光部４の第１発光素子である赤色の発光ダイオード（ＬＥＤという）４Ａと第２発光素子である緑色の発光ダイオード（ＬＥＤという）４Ｂは交互点灯状態となり、エラーが報知される。
【００７１】
なお、検知部２による検相操作において、Ｒ相、Ｔ相、Ｓ相の内、いずれか同じ相を３回検知すれば、同じ相の検知であるため位相差が０度であり、制御部３は同相であると判定し、発光部４は第１発光素子である赤色の発光ダイオード（ＬＥＤという）４Ａが点滅し、同相であることを報知する。
【００７２】
上記から明らかなように、Ｙ結線及びＶ結線においては、３回の検知によって、いずれの相も電圧波形が検知され、検知中は検相モード用発光素子１３Ｂが赤色点滅状態となり、その点滅が検相モードマーク１３Ａから視認される。この点滅によって、正規の検知が行われたことを視認できる。
一方、デルタ結線（三角結線）の場合、上記のようにＳ相が接地されていることにより、この電圧はゼロであり、他の相は電圧波形が検知される。このため、電圧波形が検知されるＲ相、Ｔ相の検知においては、検知中は検相モード用発光素子１３Ｂが赤色点滅状態となり、その点滅が検相モードマーク１３Ａから視認される。しかし、Ｓ相の検知では、電圧波形が検知されないため、検知中は検相モード用発光素子１３Ｂが緑色点滅状態となり、その点滅が検相モードマーク１３Ａから視認され、接地相であることが判明する。
このため、各相を検知する３回の検知の中で、１回の検知が電圧波形を検知せず、２回の検知が電圧を検知する場合は、作業者は、それによってデルタ結線（三角結線）であることを認識できることとなる。
このように、検相モード用発光素子１３Ｂは、異なる色で発光する構成である。このため、検相モード用発光素子１３Ｂは、赤色及び緑色のように異なる色で発光する単一の発光素子で構成するものでもよく、また、それぞれ異なる発光色の発光素子の複数で構成されるものでもよい。
【００７３】
もし、Ｒ相、Ｓ相、Ｔ相の各相の検知において、死線であるＳ相の検知が２回行われた場合、上記のように、１回の検知において、検相モード用発光素子１３Ｂが緑色点滅状態を３秒等の数秒間継続した後、２回目の検知において、検相モード用発光素子１３Ｂが緑色点滅状態を３秒等の数秒間継続した後、発光部４が第１発光素子である赤色の発光ダイオード（ＬＥＤという）４Ａと第２発光素子である緑色の発光ダイオード（ＬＥＤという）４Ｂは交互点灯状態となり、エラーが報知される。
【００７４】
上記のように３相電路の検相作業を行ったときの制御部３の判定結果が、Ｒ相→Ｓ相→Ｔ相のように順相（正相）であれば、第２発光素子である緑色の発光ダイオード（ＬＥＤという）４Ｂが点灯する。もしＴ相→Ｓ相→Ｒ相のように逆相であれば、第１発光素子である赤色の発光ダイオード（ＬＥＤという）４Ａが点灯状態となる。また、同相であれば、第１発光素子である赤色の発光ダイオード（ＬＥＤという）４Ａが点滅状態となる。
【００７５】
このように、検相モードにおいて、制御部３の判定結果が、順（正）相、逆相、同相、エラーの場合には、それに応じた報知を前記第１発光部と前記第２発光部による異なる発光パターンで行うが、これと共に、この順（正）相、逆相、同相、エラーに対応して、発音部であるブザー１９が異なる発音パターンで発音する。このため、視覚と聴覚の両方による報知がなされるため、作業者は、検相モードにおける制御部３の判定結果がいずれであったかを把握し易くなる。
【００７６】
上記３相電路の検相作業において、一つの作業が上記検相操作間隔内に行われなかった場合は、その検相作業が失敗であるため、第１発光素子である赤色の発光ダイオード（ＬＥＤという）４Ａと第２発光素子である緑色の発光ダイオード（ＬＥＤという）４Ｂは交互点灯状態となり、エラーを報知する。
【００７７】
なお、上記のように検相スタンバイにおいて、所定時間（例えば、６秒のような数秒間）内に活電相を検知できなければ、制御部３のタイマ機能により、エラーであることを報知するために、所定時間（例えば、６秒のような数秒間）ブザー１９の発音と共に、発光部４の第１発光素子である赤色の発光ダイオード（ＬＥＤという）４Ａと第２発光素子である緑色の発光ダイオード（ＬＥＤという）４Ｂが交互に点灯状態となり、エラー状態であることを所定時間（例えば、６秒のような数秒間）報知する。
なお、上記所定時間（例えば、６秒のような数秒間）のブザー１９の発音と共に、モード表示部１１の検電モード用発光素子１２Ｂと検相モード用発光素子１３Ｂの双方が点滅状態となるようにして、エラーを報知するようにしてもよい。
【００７８】
この報知時間の経過にて、検相モード用発光素子１３Ｂが赤色点滅状態となり、再度検相モードに復帰する。このため、再度検相作業を行うことができ、再度スイッチ操作部１０を１回押すことにより、上記同様に、検相モード用発光素子１３Ｂの点滅が止み、緑色連続点灯状態になり、検相スタンバイ、即ち、検相作業開始可能状態になったことを報知する。このため、再度検相作業を行うことができる。
【００７９】
また、上記のように、検電モードにおいて、スイッチ操作部１０を１回押すことにより、検相モードに切り替わるが、この検相モードにおいて検相作業に入らずに放置したままの状態が所定時間（例えば、６秒のような数秒間）継続すれば、制御部のタイマ機能により、自動的に検電モードに切り替わり、検電モード用発光素子１２Ｂが橙色点滅状態となり、検電モードであることを報知する。
このように構成する理由は、作業者を保護するためである。即ち、上記のように検相モード用発光素子１３Ｂが赤色点滅状態となる検相モードは、電圧検知ができない状態である。この状態では作業者は、電路に電圧が印加された活線であるか否かを判断できないため、この活線に人体が触れると危険である。
本発明では、これを回避するために、上記のように、検電モードにおいてスイッチ操作部１０を押すことにより検相モードに切り替わるが、検相作業に入らずに放置したままの状態が所定時間（例えば、６秒のような数秒間）継続すれば、制御部のタイマ機能により、自動的に検電モードに切り替わる。このため、活線に対して電圧検知ができるため、活線であることが判明され、この危険を回避でき安全性を確保できることとなる。
【００８０】
また、検相モード・検電モードのいずれの状態においても、検相・検電操作を中止する場合は、スイッチ操作部１０を所定時間（例えば、３秒のような数秒間）押し続けると、電源ＯＦＦとなり、モード表示部１１は消灯状態となる。
【００８１】
また、電源ＯＮの状態において、検相操作または検電操作を行わずに放置したままの状態が長時間継続すれば、電源用電池８の寿命が切れる。これを防ぐために、検相モード・検電モードのいずれの状態においても、放置したままの状態が所定時間（例えば、１分のような数分間）継続すれば、電源ＯＦＦとなり、モード表示部１１は消灯状態となるタイマ機能を制御部３は備えている。この場合の放置したままの時間を判定する所定時間は、前記検相操作間隔を判定するために制御部３に基準値と定めた所定時間よりも長い時間である。
【００８２】
上記のように、スイッチ部１０は、プッシュ操作によって電源ＯＮ状態、検相モード状態、及び検電モード状態に切り替わる単一のプッシュスイッチで構成され、電源ＯＮ状態で、検相モード表示部と検電モード表示部の双方が発光状態となり、次いで検電モード用発光素子１２Ｂが橙色点滅状態となり、検電モードになったことを報知する。これに替わって、電源ＯＮ状態で、検相モード表示部と検電モード表示部の双方が発光状態となり、次いで検相モード用発光素子１３Ｂが赤色点滅状態となって、検相モードになったことを報知する構成でもよい。
【００８３】
［第２実施形態］
以下、本発明に係る検相・検電器の第２実施形態を図７に基づいて説明する。
第２実施形態の検相・検電器１は、上記の第１実施形態の検相・検電器１において、発光部４を構成する第１発光素子４Ａと第２発光素子４Ｂの配置が異なる。第２実施形態では、第１発光素子４Ａと第２発光素子４Ｂは、そのリード部１４がプリント配線基板７の配線に接続された状態で、プリント配線基板７の前端部に載置される状態である。これによって、第１発光素子４Ａと第２発光素子４Ｂの取り付けが安定した状態となる。
【００８４】
また、第２実施形態の検相・検電器１は、筒状本体部５は、先端カバー部１５が一体形成された中空の円筒形状であり、その後面開口部５Ｂに後キャップ体１７が着脱可能に取り付けられている。また、スイッチ操作部１０とモード表示部１１は、筒状本体部５の外面と面一に形成される構成であり、説明部２３は、筒状本体部５の外面に印刷等にて表示される。
【００８５】
その他の構成は、第１実施形態と同様であり、スイッチ操作部１０の操作にて検電・検相を行うことができる。
【００８６】
本発明は、上記実施形態に限定されず、本発明の要旨を逸脱しない範囲で、種々の実施形態を包含するものである。
【符号の説明】
【００８７】
１・・・・・・検相・検電器
２・・・・・・検知部
３・・・・・・制御部
４・・・・・・発光部
４Ａ・・・・・第１発光素子
４Ｂ・・・・・第２発光素子
５・・・・・・筒状本体部
６・・・・・・スイッチ部
７・・・・・・配線基板
７Ａ・・・・・配線基板の後部領域
７Ｂ・・・・・配線基板の前部領域
８・・・・・・電源用電池
９・・・・・・左右支持部
９Ａ・・・・・溝
９Ｓ・・・・・ストッパ
１０・・・・・スイッチ操作部
１１・・・・・モード表示部
１２・・・・・検電モード表示部
１２Ａ・・・・検電モードマーク
１２Ｂ・・・・検電モード用発光素子
１３・・・・・検相モード表示部
１３Ａ・・・・検相モードマーク
１３Ｂ・・・・検相モード用発光素子
１５・・・・・先端カバー部
１５Ａ・・・・透光カバー部
１５Ｂ・・・・突出部
１６・・・・・コイルバネ
１７・・・・・後キャップ体
１９・・・・・発音部（ブザー）
２３・・・・・発光部の発光状態の説明部
【図１】
0006630056.tif 000002
【図２】
0006630056.tif 000003
【図３】
0006630056.tif 000004
【図４】
0006630056.tif 000005
【図５】
0006630056.tif 000006
【図６】
0006630056.tif 000007
【図７】
0006630056.tif 000008
【図８】
0006630056.tif 000009
【図９】
0006630056.tif 000010